(57)【特許請求の範囲】
【請求項１】
自走によりまたは被牽引により走行する機体Ｆに装架せるミッションケースＭの上方に、縦方向の軸芯線をもって回転する羽根車４を収蔵せる羽根車ケースＣと、内腔に軸芯線が縦方向の回転軸２０をもって回転する撹拌用のアジテータ５を収蔵装備せしめたホッパーＨとを、羽根車ケースＣの上方にホッパーＨが位置するよう配位して機体Ｆに装架し、ミッションケースＭには、それの上面側に、上端側が前記ホッパーＨ内に突入する軸芯線を縦方向とした中心駆動軸２と、その中心駆動軸２の基端側の外周に外筒状に嵌合する外筒軸３とを、それぞれ回転自在に軸支し、ミッションケースＭの内部には、入力軸１から入力される回転動力を減速して前記中心駆動軸２に伝動する伝動機構ｄ１と、入力軸１から入力される回転動力を略等速乃至増速させて前記外筒軸３に伝動する伝動機構ｄ２とを収蔵せしめ、中心駆動軸２には、それの基端部２ｂに、上端側がホッパーＨの上面側の開放口８０に向け延出する延長部２ａを、軸接手ａを介し装脱自在に連結し、その延長部２ａの外周に、ホッパーＨ内に配設する撹拌用のアジテータ５の回転軸２０を鞘筒状に形成して回転自在に嵌装し、その回転軸２０を、前記中心駆動軸２の延長部２ａに“入り”“切り”自在のクラッチＫを介し伝動し、中心駆動軸２の基端部２ｂに、繰出用のアジテータｂを設け、外筒軸３の上端側を前記羽根車４の軸芯部位に連結せしめたことを特徴とする肥料散布機。
【発明の詳細な説明】
【０００１】
【発明の属する技術分野】
本発明は、機体フレームに、羽根車を収蔵せる羽根車ケースを装架し、その上方に肥料を装入しておくホッパーを装架しておいて、そのホッパーから繰り出す粉状・粒状の肥料を羽根車ケース内で回転する羽根車により振り出して散布する羽根車式の形態の肥料散布機に関する。
【０００２】
【従来の技術】
上述の形態の肥料散布機は、通常、図１にあるように、自走により走行する機体またはトラクタ等の牽引車に連結牽引させて走行する被牽引型の機体に装架するよう形成したミッションケースＭの上面側に、直立する中心駆動軸２と、それの外周に外筒状に嵌合する外筒軸３とを、縦方向の同一軸芯線に揃う二重軸状に設け、その中心駆動軸２の下端側および外筒軸３の下端側を、前記ミッションケースＭ内に装備せる伝動機構Ｄの、伝動機構ｄ１と伝動機構ｄ２とに各別に伝動し、その外筒軸３の上端側を、ミッションケースＭの上方に配位して機体に装架せる羽根車ケースＣ内に収蔵する羽根車４の軸芯部位に連結し、伝動機構ｄ１に伝動する中心駆動軸２の上端側を、前記羽根車ケースＣの上方に配位して機体に装架せるホッパーＨ内に突入させて、そのホッパーＨ内に配設する撹拌用のアジテータ５に連結しておいて、これにより、ホッパーＨ内に肥料を投入して、入力軸１の駆動で、中心駆動軸２および外筒軸３を回転させると、投入した肥料が中心駆動軸２により回転するアジテータ５により撹拌されてホッパーＨの底部に設けた繰出口ｈから羽根車ケースＣ内に繰り出され、そこで外筒軸３により回転している羽根車４により振り出されて、羽根車ケースＣの周壁部に設けてある放出口から放出散布されるようにしてある。
【０００３】
そして、入力軸１から中心駆動軸２および外筒軸３に回転動力を伝達する伝動機構Ｄは、中心駆動軸２を入力軸１に対し減速回転させるギヤＧ１とギヤＧ２とからなる伝動機構ｄ１と、外筒軸３を入力軸１に対し等速または増速させて回転させるギヤＧ３とギヤＧ４からなる伝動機構ｄ２とを別にして、その外筒軸３への伝動機構ｄ２に、クラッチレバー１０の操作により、入力軸１との伝動を“入り”“切り”するクラッチ１１を設け、また、中心駆動軸２と外筒軸３の間にワンウエイクラッチ１２を設けておいて、クラッチ１１を“入り”としたときには、アジテータ５を設けた中心駆動軸２が入力軸１に対し減速回転し、羽根車４を設けた外筒軸３が入力軸１に対し等速または増速されて回転して、これにより、肥料を振り出して散布する羽根車４が、散布に適応するよう早い速度で回転し、肥料を撹拌するアジテータ５が撹拌に適応する遅い速度で回転するようになって、羽根車４とアジテータ５とが異なる回転速度で回転するようになる。
【０００４】
また、クラッチ１１を“切り”としたときは、アジテータ５を設けた中心駆動軸２が減速回転し、羽根車４を設けた外筒軸３がワンウエイクラッチ１２により中心駆動軸２に追従して減速回転するようにしている。
【０００５】
【発明が解決しようとする課題】
上述の形態の肥料散布機は、散布しようとする肥料として、粒状肥料・粉状肥料等の化成肥料および堆肥等の有機質肥料のうちから所望の肥料を選択したとき、その肥料の性状に適応するよう、中心駆動軸によりホッパー内で回転するアジテータの作動状態および外筒軸により回転する羽根車の回転速度を変更するのに、ミッションケース内に収蔵せる伝動機構のうちの、羽根車の駆動軸となる外筒軸を駆動する伝動経路に、クラッチバーの操作により“入り”“切り”の作動を行うクラッチを設けて、これにより、変更調整を行うようにしていることから、伝動機構を収蔵するミッションケースの容積が大きくなって取り扱いを不便にする問題がある。
【０００６】
また、散布する肥料の性状に応じて、アジテータおよび羽根車の作動状態を変更調整するのに、アジテータに連結して減速回転する中心軸を一定の状態に保持しておいて、羽根車に連結して等速または増速回転させる外筒軸の入力軸に対する伝動クラッチを、クラッチの操作により、“入り”“切り”して、等速または増速回転する状態と、減速回転する中心軸に追従して回転する状態とに切り換えるようにしていることから、例えば堆肥等の有機質肥料を散布する場合のように、散布に充分な遠心力を要することで羽根車は入力軸に対し等速または増速されて回転し、ホッパー内で回転するアジテータは、低速回転して、ホッパー内のブリッジを防止させ、よく適応するが、ブリッジを起こしづらい粒状肥料や土壌改良材を散布する場合の如く、アジテータの回転を停止させて肥料粒の破砕を防止することが望まれる場合には適応させ得ない問題がある。
【０００７】
また、上述の粒状肥料や土壌改良材を散布する場合の有機質肥料を散布する場合、ホッパー内を回動するアジテータは回転させないことが望ましいが、ホッパーの底部の繰出口に臨むアジテータは常時減速回転するようにしていることが望ましい。しかし、このような状態とすることがむづかしい問題がある。
【０００８】
本発明は従前の羽根車式の肥料散布機に生じている上述の問題を解消せしめるためになされたものであって、アジテータを駆動する中心駆動軸と羽根車を駆動する外筒軸とに対し、入力軸から入力される回転動力を伝動する伝動機構には、クラッチ機構を組み込まないで、入力軸と中心駆動軸および外筒軸との間の伝動機構の構成を簡略なものとして、羽根車と撹拌用のアジテータとを異なる回転速度で回転させるよう駆動しながら、散布する肥料が破砕し易い粒状肥料のときに、繰出口に臨む繰出用のアジテータを残した状態において、撹拌用のアジテータの回動をオフにするか、ホッパーＨ内からそっくり取り外せるようにする新たな手段を提供することを目的とする。
【０００９】
【課題を解決するための手段】
そして、本発明においては、上述の目的を達成するための手段として、自走によりまたは被牽引により走行する機体Ｆに装架せるミッションケースＭの上方に、縦方向の軸芯線をもって回転する羽根車４を収蔵せる羽根車ケースＣと、内腔に軸芯線が縦方向の回転軸２０をもって回転する撹拌用のアジテータ５を収蔵装備せしめたホッパーＨとを、羽根車ケースＣの上方にホッパーＨが位置するよう配位して機体Ｆに装架し、ミッションケースＭには、それの上面側に、上端側が前記ホッパーＨ内に突入する軸芯線を縦方向とした中心駆動軸２と、その中心駆動軸２の基端側の外周に外筒状に嵌合する外筒軸３とを、それぞれ回転自在に軸支し、ミッションケースＭの内部には、入力軸１から入力される回転動力を減速して前記中心駆動軸２に伝動する伝動機構ｄ１と、入力軸１から入力される回転動力を略等速乃至増速させて前記外筒軸３に伝動する伝動機構ｄ２とを収蔵せしめ、中心駆動軸２には、それの基端部２ｂに、上端側がホッパーＨの上面側の開放口８０に向け延出する延長部２ａを、軸接手ａを介し装脱自在に連結し、その延長部２ａの外周に、ホッパーＨ内に配設する撹拌用のアジテータ５の回転軸２０を鞘筒状に形成して回転自在に嵌装し、その回転軸２０を、前記中心駆動軸２の延長部２ａに“入り”“切り”自在のクラッチＫを介し伝動し、中心駆動軸２の基端部２ｂに、繰出用のアジテータｂを設け、外筒軸３の上端側を前記羽根車４の軸芯部位に連結せしめたことを特徴とする肥料散布機を提起するものである。
【００１０】
【発明の実施の形態】
本発明手段による羽根車式の形態の肥料散布機は、自走して走行する機体、またはトラクタ等の牽引車に連結牽引させて走行する被牽引型の機体に装架せるミッションケースの上方に、縦方向の軸芯線をもって回転する羽根車を収蔵せる羽根車ケースと、縦方向の軸芯線をもって回転するアジテータを内腔に装備せるホッパーとを、羽根車ケースの上にホッパーが位置するように上下に重ねて装架し、かつ、ミッションケースの上面側には、これら羽根車ケースとホッパーの中心部位に位置するように中心駆動軸と、それの外周に二重軸の外筒状に嵌合して回転する外筒軸とを軸架しておいて、それらのうちの中心駆動軸をホッパー内の撹拌用のアジテータに伝動連繋し、外筒軸を羽根車の軸芯部位に連繋し、この中心駆動軸と外筒軸とに、入力軸から入力される回転動力を、ミッションケース内に組込む伝動機構Ｄを介し伝動して駆動することで、羽根車とアジテータとを回転させるようにする。
【００１１】
このとき、入力軸から中心駆動軸と外筒軸とに回転動力を伝動する伝動機構Ｄは、入力軸から入力される回転動力を減速して中心駆動軸に伝える伝動機構ｄ１と、入力軸から入力される回転動力を等速または増速して外筒軸に伝動する伝動機構ｄ２との各別の伝動機構として、羽根車ケース内の羽根車とホッパー内のアジテータとを、それぞれ異なる回転速度で回転するように駆動する。
【００１２】
また、ミッションケース内に組込む伝動機構Ｄにはクラッチ機構を設けず、この伝動機構Ｄの構成を簡略なものとする。
【００１３】
そして、羽根車とアジテータとを異なる回転速度で回転させるよう駆動しておいて、アジテータの駆動を、オン・オフさせるためのクラッチは、中心駆動軸のホッパー内に突入させた上端側に、回転自在に軸筒を嵌装してこの軸筒に撹拌用のアジテータを取り付けて、この軸筒と中心駆動軸との間に回転動力の伝動連繋と伝動の切断を行なうクラッチを設けることで、そのクラッチの操作によりアジテータの駆動がオフとなるようにする。
【００１４】
図２は、本発明手段による肥料散布機Ａの実施例の一例を示す。なお、図面符号は従前手段のものと同効の構成部材については同一の符号を用いるものとする。
【００１５】
同図において、Ｍは機体に対する組付機枠を兼ねているミッションケース、Ｃはそれの上面側に組み付け装架した羽根車ケース、Ｈはその羽根車ケースＣの上方に配位して組み付け装架したホッパーを示す。
【００１６】
この実施例の肥料散布機Ａは、それの機体を、トラクタの機体の後面側に、三点リンクヒッチを介して連結装架し、そのトラクタにより走行する被牽引型とした形態に構成したもので、それの前記ミッションケースＭは、図３乃至図５に示す如く、前端側に、トラクタの機体の後面側に装備される三点リンクヒッチのロアリンクおよびトップリンクと連結する連結ヒッチ６０・６１を具備せしめた肥料散布機Ａの機体Ｆに、組付座６２を設けて、その組付座６２に組み付け装架してある。
【００１７】
そして、ホッパーＨは、前記機体Ｆに設けた取付架台６３に装架してあり、また、羽根車ケースＣは、それの天板７０を前記ホッパーＨの底部のまわりに設けたカバー支持金具７１に吊り下げ支持させることで機体Ｆに対し装架してあり、後面側には散布口７２が形成してある。
【００１８】
図６において、２は前記ミッションケースＭの上面側に直立するように設けてミッションケースＭに軸支した中心駆動軸で、ミッションケースＭに軸支した入力軸１と、小径のギヤＧ１と大径のギヤＧ２とからなる伝動機構ｄ１により伝動していて入力軸１に対し減速されて回転する。
【００１９】
再び図２において、２ａは、この中心駆動軸２上端側のホッパーＨ内に突入させた上方延長部で、中心駆動軸２の下端側で、ホッパーＨ内の底部に位置している基端部２ｂとは、切り離されて別体に形成してあって、その中心駆動軸２の基端部２ｂに対し、軸接手ａを介して装脱自在に連結している。
【００２０】
そして、この中心駆動軸２の上方延長部２ａは、それの上端部が、ホッパーＨの上面側の開放口８０に、図３にあるようブリッジ状に渡架した軸受支持部材８１に支持せしめた軸受８２に、回転自在に、かつ、装脱自在に軸支してあって、下端側を前述の軸接手ａにより基端部２ｂから外し、上端側をこの軸受８２から抜き出すことで、ホッパーＨ内から取り出せるようになっている。
【００２１】
２０は、アジテータ５の回転軸で、この中心駆動軸２の上方延長部２ａの外周にブッシュ２１・２１を介して回転自在に嵌挿した鞘筒状の軸筒に形成してあり、かつ、それの上端部２００が、主体部２０１に対し上下に切り離され、それらの切り離し端に設けた接合鍔２２・２３により接合し、それらの接合鍔２２・２３をシエアピン２４により閉じ合わせて連結することで一体に連結している。
【００２２】
そして、この切り離された上端部２００には、それを、中心駆動軸２の上方延長部２ａの上端部とに、クラッチＫを構成するクラッチピンｋが抜き挿し自在に挿通されていて、それの挿通により回転軸２０と中心駆動軸２の上方延長部２ａとの伝動が“入り”の状態となり、そのクラッチピンｋの抜き取りで伝動が“切り”となるようにしてある。
【００２３】
また、この回転軸２０の主体部２０１には、それの外周にステー２５・２５を介して、ホッパーＨの内壁面に沿って回動する撹拌用のアジテータ５・５が、取り付けられ、これの回転作動が、前述のクラッチピンｋの抜き挿しによる回転動力の“入り”“切り”によって、オン・オフ制御されるようにしてある。
【００２４】
ｂはホッパーＨの底部に設けた肥料の繰出口ｈの上面側を回動するように設けた肥料繰出用のアジテータで、中心駆動軸２の軸接手ａよりも下方に位置する基端部２ｂに取り付けてある。
【００２５】
３は、上記中心駆動軸２の外周を外筒状に回転するようミッションケースＭの上面側に直立させて軸支した外筒軸で、入力軸１に設けた大径のギヤＧ３と、これと略同径に形成して該外筒軸３の下端側に設けたギヤＧ４とからなる伝動機構ｄ２により、入力軸１に対し等速または増速されて回転するようにしてある。
【００２６】
そして、この外筒軸３の上端側が、羽根車ケースＣ内に収蔵せる羽根車４の軸芯部位に、フランジ３０を介して連結している。
【００２７】
【発明の効果】
以上説明したように、本発明による肥料散布機は、自走によりまたは被牽引により走行する機体に、それに装架したミッションケースＭの上方に配位して羽根車４を収蔵せる羽根車ケースＣと内腔に撹拌用のアジテータ５を装備せるホッパーＨとを上下に重ねて装架し、撹拌用のアジテータ５の回転軸２０を、鞘軸状に形成して、上端側がホッパーＨの上面側の開放口８０に向け延出するよう中心駆動軸２の上端側に軸接手ａを介し装脱自在に連結した延長軸２ａの外周に、回転自在に嵌合して、その中心駆動軸２との間に“入り”“切り”自在のクラッチＫを装設し、羽根車４の軸芯部位を、前記中心駆動軸２の下端側の外周に嵌装して機体Ｆに軸架せる外筒軸３に連結し、中心駆動軸２と外筒軸３とをミッションケースＭ内に設けた各別の伝動機構ｄ１・ｄ２を介し入力軸１に伝動して、羽根車４とアジテータ５とを異なる回転速度で回転するよう駆動せしめているのだから、中心駆動軸２と外筒軸３とを入力軸１に伝動する伝動機構を簡略にしながら、撹拌用のアジテータ５の作動により破砕を受け易い粒状肥料の散布の際に、中心駆動軸２と外筒軸３に対する伝動機構ｄ１・ｄ２をそのままにし、かつ、繰出用のアジテータｂを残した状態で、撹拌用のアジテータ５の回動をオフにするか、ホッパーＨ内から取り外した状態とするのが簡単に行えるようになる。
【図面の簡単な説明】
【図１】従前の肥料散布機の縦断面図である。
【図２】本発明手段を実施せる肥料散布機の縦断側面図である。
【図３】同上の肥料散布機の平面図である。
【図４】同上の肥料散布機の側面図である。
【図５】同上の肥料散布機の正面図である。
【図６】同上の肥料散布機の要部の拡大縦断側面図である。
【符号の説明】
Ａ…肥料散布機、Ｃ…羽根車ケース、Ｄ…伝動機構、Ｆ…機体、Ｈ…ホッパー、Ｋ…クラッチ、Ｍ…ミッションケース、Ｇ１・Ｇ２・Ｇ３・Ｇ４…ギヤ、ａ…軸接手、ｂ…繰出用のアジテータ、ｄ１・ｄ２…伝動機構、ｈ…繰出口、ｋ…クラッチピン、１…入力軸、１０…クラッチレバー、１１…クラッチ、１２…ワンウエイクラッチ、２…中心駆動軸、２ａ…上方延長部、２ｂ…基端部、２０…回転軸、２１…ブッシュ、２００…上端部、２０１…主体部、２２・２３…接合鍔、２４…シエアピン、２５…ステー、３…外筒軸、３０…フランジ、４…羽根車、５…アジテータ、６０・６１…連結ヒッチ、６２…組付座、６３…取付架台、７０…天板、７１…カバー支持金具、７２…散布口、８０…開放口、８１…軸受支持部材、８２…軸受。
【図１】
0003554545.tif 000002
【図２】
0003554545.tif 000003
【図３】
0003554545.tif 000004
【図４】
0003554545.tif 000005
【図５】
0003554545.tif 000006
【図６】
0003554545.tif 000007